(57)【要約】【課題】  本発明は釣り靴に関し、靴本体の底部とミッドソールの間に水が溜まることのない釣り靴を提供することを目的とする。【解決手段】  請求項１に係る発明は、靴本体の底部にゴム製のミッドソールを取り付け、該ミッドソールの下面に滑り止め用のフェルト底を取り付けた釣り靴に於て、前記ミッドソールに、その上面から下面に連通する水抜き用の孔を設けたことを特徴とする。  そして、請求項２に係る発明は、請求項１に記載の釣り靴に於て、前記ミッドソールの上面に、前記孔に向けて下りの傾斜面を形成したことを特徴とし、請求項３に係る発明は、請求項１または請求項２に記載の釣り靴に於て、前記ミッドソールの上面に、上方に向けて多数の突起を突設し、該突起で前記靴本体をミッドソールの上面から離間させて支持したことを特徴とする。【選択図】    図３
2009195463.tif 000002
【特許請求の範囲】
【請求項１】
靴本体の底部にゴム製のミッドソールを取り付け、該ミッドソールの下面に滑り止め用のフェルト底を取り付けた釣り靴に於て、
前記ミッドソールに、その上面から下面に連通する水抜き用の孔を設けたことを特徴とする釣り靴。
【請求項２】
前記ミッドソールの上面に、前記孔に向けて下りの傾斜面を形成したことを特徴とする請求項１に記載の釣り靴。
【請求項３】
前記ミッドソールの上面に、上方に向けて多数の突起を突設し、該突起で前記靴本体をミッドソールの上面から離間させて支持したことを特徴とする請求項１または請求項２に記載の釣り靴。
【請求項４】
前記孔をミッドソールのつま先側に形成し、該孔に向けてミッドソールの踵側から下りの傾斜面を形成したことを特徴とする請求項１乃至請求項３のいずれか１項に記載の釣り靴。
【発明の詳細な説明】
【技術分野】
【０００１】
本発明は、靴底に滑り止め用のフェルト底を用いた釣り靴に関する。
【背景技術】
【０００２】
従来、釣り靴は水辺を歩行する他、水の中を歩行することがあるため、特許文献１及び特許文献２に開示されるように、靴底にフェルト底を用いた釣り靴が広く使用されている。
【０００３】
フェルトは、合成樹脂繊維やヒツジ，ラクダ等の動物の毛のかたまりを薄く板状に繰り返し押し固めて作られたもので、フェルト底はクッション性に優れ、また、撓りがあって高い滑り止め効果が得られため、特に川釣りや渓流釣りでは、靴本体の底部にゴム製のミッドソールとフェルト底を積層した釣り靴が広く使用されている。
【０００４】
而して、一般にこの種の靴本体は、例えば非透水性で伸縮自在なゴムシートの両面に伸縮自在なナイロン繊維等の織布を添着して足袋状に形成され、つま先側から側周面に亘り薄肉なゴム製の補強シートが表面に貼着されて靴本体の補強が図られている。そして、熱をかけて靴本体の底部にミッドソールを溶着し、また、接着剤を用いて靴本体の底部にミッドソールを接着した構造となっている。
【特許文献１】実開昭６３−３８８０１号公報
【特許文献２】特開２００４−１６００６４号公報
【発明の開示】
【発明が解決しようとする課題】
【０００５】
しかし乍ら、斯様に靴本体の底部にミッドソールが密着して取り付けられていても、既述したように靴本体の表面に水を吸うナイロン繊維等の織布が添着されていると、この織布に染み込んだ水が補強シートと靴本体の間から靴本体の底部に染み出して、ミッドソールとの間に溜まってしまう欠点があった。
【０００６】
また、例えば接着剤を用いて靴本体とミッドソールを接着した場合でも、靴本体とミッドソールとの間に僅かな隙間が空いていたり、長期に亘る使用で靴本体とミッドソールとの間に隙間が空いてしまうこともあり、このような場合、隙間から水が浸入して靴本体とミッドソールとの間に溜まってしまう欠点があった。
【０００７】
そして、特に、ミッドソールが周縁に立ち上がり部（周壁）を有するカップソール状に形成されていると、浸入した水が靴本体とミッドソールとの間に残って溜まり易いのが実情である。
【０００８】
本発明は斯かる実情に鑑み案出されたもので、靴本体の底部とミッドソールの間に水が溜まることのない釣り靴を提供することを目的とする。
【課題を解決するための手段】
【０００９】
斯かる目的を達成するため、請求項１に係る発明は、靴本体の底部にゴム製のミッドソールを取り付け、該ミッドソールの下面に滑り止め用のフェルト底を取り付けた釣り靴に於て、前記ミッドソールに、その上面から下面に連通する水抜き用の孔を設けたことを特徴とする。
【００１０】
そして、請求項２に係る発明は、請求項１に記載の釣り靴に於て、前記ミッドソールの上面に、前記孔に向けて下りの傾斜面を形成したことを特徴とし、請求項３に係る発明は、請求項１または請求項２に記載の釣り靴に於て、前記ミッドソールの上面に、上方に向けて多数の突起を突設し、該突起で前記靴本体をミッドソールの上面から離間させて支持したことを特徴とする。
【００１１】
更に、請求項４に係る発明は、請求項１乃至請求項３のいずれか１項に記載の釣り靴に於て、前記孔をミッドソールのつま先側に形成し、該孔に向けてミッドソールの踵側から下りの傾斜面を形成したことを特徴とする。
【発明の効果】
【００１２】
請求項１に係る発明によれば、上面から下面に連通する水抜き孔をミッドソールに設けたため、靴本体とミッドソールとの間に浸入した水が靴本体の底部とミッドソールとの間に溜まることがなくなった。
【００１３】
また、ミッドソールと靴本体を熱をかけて溶着させる際に、靴本体の底部とミッドソールの上面の間に形成された空間内のエアが前記水抜き孔から排気される利点を有する。
【００１４】
そして、請求項２及び請求項４に係る発明によれば、靴本体とミッドソールとの間に浸入した水が、ミッドソール上面の傾斜面を伝わって水抜き孔の方へ流れ易い利点を有する。
【００１５】
また、請求項３に係る発明によれば、ミッドソールの上面に設けた複数の突起で靴本体をミッドソールの上面から離間させて支持したので、靴本体の底部とミッドソール間に間隙（水路）が形成され、而も、該間隙は水抜き孔に向かって下った傾斜面となっているため、水がこの傾斜面を伝わって水抜き孔の方へ流れ易い利点を有する。
【発明を実施するための最良の形態】
【００１６】
以下、本発明の実施形態を図面に基づいて詳細に説明する。
【００１７】
図１乃至図４は請求項１乃至請求項４の一実施形態に係る釣り靴を示し、本実施形態に係る釣り靴１は、靴本体３と、該靴本体３のつま先側から側周面に亘って取り付く補強シート（補強ゴム）５と、靴本体３の底部に取り付くゴム製のミッドソール７と、該ミッドソール７の底部に取り付く天然繊維や合成樹脂繊維を加圧して板状に形成したフェルト底９とで構成されている。
【００１８】
尚、前記釣り靴１は右足用のもので、該釣り靴１と左右対称に形成された左足用の釣り靴（図示せず）とで本実施形態に係る釣り靴が構成されるが、説明を簡略化するため、本明細書では右足用の釣り靴１について説明する。
【００１９】
図１乃至図３に示すように靴本体３は、透水性の織布や、非透水性で伸縮自在なクロロプレーンゴムシート，ウレタンシート等のゴムや合成樹脂のシート材の両面に伸縮自在なナイロン繊維等の織布を添着して足袋状に形成したもので、常に足にぴったり密着した状態となるように形成されている。そして、その側部に、形成した切欠きと切欠きを開閉するサイドファスナ１１が足の出入れ口１３から踝方向へ縫着され、靴本体３のつま先側から側周面に亘り薄肉な補強シート５が表面に貼着されて靴本体３の補強が図られている。
【００２０】
一方、図１乃至図４に示すように前記ミッドソール７は、周縁に立ち上がり部（周壁）１５が延設されたカップソールタイプで、一例として天然ゴムやウレタンゴム等の合成ゴムで形成されている。
【００２１】
そして、立ち上がり部１５で囲繞されたミッドソール７の上面１７に、平面視正方形状，平面視矩形状，平面視三角形状等からなる複数の独立したブロック状の突起１９が上方へ突設され、これらの突起１９は釣り靴１の前後左右方向に互いに間隙を有し、夫々が独立して撓むように並設されている。
【００２２】
更に、ミッドソール７のつま先側中央には、その上面１７から下面１８に連通する平面視円形形状の水抜き孔２１が設けられており、ミッドソール７の上面１７は、ミッドソール７の踵側からは勿論、つま先側先端２３やミッドソール７のイン側，アウト側から前記水抜き孔２１に向けて下りの傾斜面となっている。
【００２３】
そして、図２及び図３に示すように独立したブロック状の前記突起１９は、ミッドソール７のつま先側先端２３から踵側へ順次肉厚（高く）に形成されて、各突起１９の平坦な上部で靴本体３をミッドソール７の上面１７から離間させて支持しており、独立した突起１９相互の間隙が、所謂水抜き孔２１に向けての水路を形成している。
【００２４】
更に、ミッドソール７の最も薄肉に形成したつま先側の略中央に、つま先側先端２３と左右両側の周縁部２５を残して該つま先側先端２３や周縁部２５に比し硬い材料からなる硬質部２７が、ミッドソール７の上面１７から下面１８に達するように形成されている。この硬質部２７は、川底の尖った岩等を踏みつけた際に、フェルト底９を通して下からの突き上げを緩和して足の痛みを防止するもので、釣り靴１を履いた足の指先の感覚を損なうことがないように、硬質部２７はつま先側先端２３と周縁部２５を残して、前記水抜き孔２１が形成され、この水抜き孔２１を中心とする平面視略ドーナツ状に形成されている。
【００２５】
尚、硬質部２７の材料として、例えば前記ミッドソール７を天然ゴムで形成した場合、硬質部２７をこれより硬度の高いウレタンゴムで形成すればよく、また、両者を共に同種の材料（例えばウレタンゴム）で形成した場合、硬質部２７をミッドソール７より高硬度の材料を用いる（硬度はＪＩＳ Ｋ ６２５３の試験方法による）等して、硬質部２７の材料が選択される。
【００２６】
また、ミッドソール７への硬質部２７の取付けは、突起１９の形成前のミッドソールの原形上に硬質部形成部材を配置した後、ミッドソールの原形全体に熱をかけ乍ら金型でプレスして、前記硬質部２７をミッドソール７に一体形成すると共に、ミッドソール７の上面１７に金型で突起１９を設ける。そして、硬質部２７の中央に前記水抜き孔２１を設ければよく、既述したように該水抜き孔２１に向けて、ミッドソール７の上面１７に下りの傾斜面が設けられている。
【００２７】
而して、斯様に形成したミッドソール７の立ち上がり部１５内に前記靴本体３を収納，配置した後、熱をかけてこれらを加硫することで、立ち上がり部１５の内周と該立ち上がり部１５で囲繞されたミッドソール７の各突起１９の上面に靴本体３が溶着され、靴本体３の側周面は、前記補強シート５を介して立ち上がり部１５に溶着される。そして、このミッドソール７と靴本体３との溶着の際に、靴本体３の底部とミッドソール７の上面１７，ミッドソール７の立ち上がり部１５とで囲繞された空間内のエアが、前記水抜き孔２１から排気される。このように水抜き孔２１は、ミッドソール７と靴本体３との溶着の際にエア抜きとして機能する。
【００２８】
そして、ミッドソール７の底部に、従来と同様、１．０〜２．０ｃｍ程の厚みのフェルト底９が取り付けられており、フェルト底９はミッドソール７の底部との間にゴム板を挟み、これを加硫することでミッドソール７の底部に溶着固定されている。尚、接着剤を用いてミッドソール７の底部にフェルト底９を接着してもよい。そして、前記ミッドソール７側に水抜き孔２１が連通しており、該水抜き孔２１は前記靴本体３の底部とフェルト底９に挟まれている。
【００２９】
本実施形態に係る釣り靴１はこのように構成されているから、釣り靴１を履くには、前記サイドファスナ１１を操作して靴本体３の出入れ口１３を広げればよい。
【００３０】
而して、ミッドソール７の上面１７に設けられた突起１９は、夫々、独立した構造でミッドソール７やフェルト底９の撓りを損なうものではないため、フェルト底９が十分に撓って苔岩や川床での滑りを防止する。
【００３１】
また、川底の尖った岩等を踏みつけると、フェルト底９を通して下からの突き上げがあり、釣りは前体重、即ち、足の土踏まずの前側（つま先側）に体重をかけていることが多いため、従来、下からの突き上げで土踏まずの前側が痛くなるが、前記硬質部２７が突き上げによる足の痛みを防ぎ、更に、前記突起１９が下からの突き上げを緩和して足の痛みを防止する。
【００３２】
而も、既述したように硬質部２７は、ミッドソール７のつま先側先端２３と周縁部２５を残しているため、足の指先の感覚を損なうことがなく、つま先に力がかけ易くなる。
【００３３】
そして、靴本体３の表面には伸縮自在なナイロン繊維等の織布が添着されているため、この織布に染み込んだ水が補強シート５と靴本体３の間から靴本体３の底部に染み出し、また、補強シート５とミッドソール７の立ち上がり部１５との間に僅かな隙間が空いていた場合には、この隙間からも水が靴本体３の底部へと浸入してしまうが、斯様に靴本体３の底部に浸入した水は、各突起１９に沿ってミッドソール７の上面１７に流下し、ミッドソール７の上面１７の独立した突起１９相互間の傾斜した傾斜面を伝わって流れて水抜き孔２１に達し、水抜き孔２１から排水される。そして、排水された水はフェルト底９に染み込んで地面側に流れるか、またはフェルト底９の繊維間で蒸発して後に乾いてしまう。
【００３４】
このように、本実施形態によれば、ミッドソール７の上面１７に設けた複数の独立したブロック状の突起１９と硬質部２７とで、ミッドソール７とフェルト底９の撓りを確保しつつ下からの突き上げによる不快感を解消することができると共に、ミッドソール７にフェルト底９と連通する水抜き孔２１を設けた結果、靴本体３とミッドソール７との間に浸入した水が靴本体３の底部とミッドソール７との間に溜まることがなくなった。
【００３５】
そして、特に、本実施形態は、複数の独立したブロック状の突起１９で靴本体３をミッドソール７の上面１７から離間させて支持したので、靴本体３の底部とミッドソール７間に水路となる間隙が形成され、而も、該間隙は水抜き孔２１に向かって下った傾斜面となっているため、水がこの傾斜面を伝わって水抜き孔２１の方へ流れ易いという利点を有している。
【００３６】
更に、既述したように本実施形態によれば、ミッドソール７と靴本体３との溶着の際に、靴本体３の底部とミッドソール７の上面１７，ミッドソール７の立ち上がり部１５とで囲繞された空間内のエアが前記水抜き孔２１から排気されるので、エア抜きを別途設ける必要がない利点を有する。
【図面の簡単な説明】
【００３７】
【図１】請求項１乃至請求項４の一実施形態に係る釣り靴の右足用釣り靴の側面図である。
【図２】釣り靴の断面図である。
【図３】釣り靴の断面図である。
【図４】ミッドソールの平面図である。
【符号の説明】
【００３８】
１  釣り靴
３  靴本体
５  補強シート
７  ミッドソール
９  フェルト底
１５  立ち上がり部
１７  ミッドソールの上面
１９  突起
２１  水抜き孔
２３  ミッドソールのつま先側先端
２５  ミッドソールの周縁部
２７  硬質部
【図１】
2009195463.tif 000003
【図２】
2009195463.tif 000004
【図３】
2009195463.tif 000005
【図４】
2009195463.tif 000006